(57)【要約】【課題】  本発明の目的は、受信部のダイナミックレンジを従来よりも小さくすることが可能なエレベータ監視映像用無線伝送システムを提供することである。【解決手段】  映像生成手段１０は、エレベータ籠１内の様子を撮像して監視映像の信号を生成し、送信手段１１は、映像生成手段１０が生成した監視映像の信号を電波形式で出力し、複数の受信手段２０は、エレベータ籠１が移動する昇降路内に離間して設けられ、送信手段１１から出力されてきた電波形式の監視映像の信号を受信し、特定手段２１は、複数の受信手段２０が受信した電波形式の監視映像の信号の内、最も強度が大きい電波形式の監視映像の信号を特定し、変換手段２１は、特定手段２１が特定した電波形式の監視映像の信号を監視モニター２２が表示可能な形式の信号に変換するようにしている。【選択図】  図１ 
2005101983.tif 000002
【特許請求の範囲】
【請求項１】
エレベータ籠内の監視映像の信号を、当該エレベータ籠の外に設けられた監視モニターに伝送するシステムであって、
前記エレベータ籠内の様子を撮像して監視映像の信号を生成する映像生成手段と、
前記映像生成手段が生成した監視映像の信号を電波形式で出力する送信手段と、
エレベータ籠が移動する昇降路内に離間して設けられ、前記送信手段から出力されてきた電波形式の監視映像の信号を受信する複数の受信手段と、
複数の前記受信手段が受信した電波形式の監視映像の信号の内、最も強度が大きい電波形式の監視映像の信号を特定する特定手段と、
前記特定手段が特定した電波形式の監視映像の信号を前記監視モニターが表示可能な形式の信号に変換する変換手段とを備える、エレベータ監視映像用無線伝送システム。
【請求項２】
エレベータ籠から電波形式で送信されてくる当該エレベータ籠内の監視映像の信号を、受信する受信装置であって、
エレベータ籠が移動する昇降路内に離間して設けられ、エレベータ籠から送信されてくる電波形式の前記監視映像の信号を受信する複数の受信手段と、
複数の前記受信手段が受信した電波形式の前記監視映像の信号の内、最も強度が大きい電波形式の前記監視映像の信号を特定する特定手段と、
前記特定手段が特定した電波形式の前記監視映像の信号を前記監視モニターが表示可能な形式の信号に変換する変換手段とを備える、受信装置。
【発明の詳細な説明】
【技術分野】
【０００１】
本発明は、エレベータ監視映像用無線伝送システムに関する発明であって、より特定的には、エレベータ籠内の監視映像の信号を、当該エレベータ籠の外に設けられた監視モニターに伝送するシステムに関する発明である。
【背景技術】
【０００２】
従来、エレベータ籠内の監視情報を無線伝送により、監視室に送信するシステムとしては図５に示すエレベータ用無線通信システムが存在する。図５に示すエレベータ用無線通信システムは、エレベータ籠１０００と、監視端末１００５と、送信アンテナ１０１０と、受信アンテナ１０１５と、監視親機１０２０と、表示装置１０２５とを備える。以下に、当該エレベータ用無線通信システムの動作について説明する。
【０００３】
まず、エレベータ籠１０００内の映像を取得した監視端末１００５は、当該映像情報を送信アンテナ１０１０に出力する。エレベータシャフトの最上部に設けられた受信アンテナ１０１５は、送信されてきた映像情報を受信し、監視親機１０２０へと送信する。応じて、監視親機１０２０は、映像情報を受信し、表示装置１０２５に映像を表示させる。これにより、監視室にいる管理人は、エレベータ籠１０００内の様子を把握することが可能となる。
【特許文献１】特開２００１−３４１９５１号公報
【発明の開示】
【発明が解決しようとする課題】
【０００４】
しかしながら、従来のエレベータ用無線通信システムでは、エレベータ籠１０００が上下することにより、送信アンテナ１０１０と受信アンテナ１０１５との距離が大きく変化してしまう。そのため、エレベータ籠１０００がエレベータシャフトの最上部にいる場合と、エレベータシャフトの最下部にいる場合とで、受信アンテナ１０１０に届く電波の強度が大きく変化してしまい、監視親機１０２０内の受信部における受信感度が大きく変化してしまう。その結果、監視親機１０２０内の受信部は、広いダイナミックレンジを有していなければならない。かかる問題は、数階程度の低層建築物の場合には、大きな問題とならないが、いわゆる高層建築物の場合には、非常に大きな問題となってくる。
【０００５】
そこで、本発明の目的は、受信部のダイナミックレンジを従来よりも小さくすることが可能なエレベータ監視映像用無線伝送システムを提供することである。
【課題を解決するための手段】
【０００６】
本発明では、映像生成手段は、エレベータ籠内の様子を撮像して監視映像の信号を生成し、送信手段は、映像生成手段が生成した監視映像の信号を電波形式で出力し、複数の受信手段は、エレベータ籠が移動する昇降路内に離間して設けられ、送信手段から出力されてきた電波形式の監視映像の信号を受信し、特定手段は、複数の受信手段が受信した電波形式の監視映像の信号の内、最も強度が大きい電波形式の監視映像の信号を特定し、変換手段は、特定手段が特定した電波形式の監視映像の信号を監視モニターが表示可能な形式の信号に変換するようにしている。
【０００７】
なお、本発明は、システムのみならず、当該システムに用いられる受信装置に対しても向けられている。
【発明の効果】
【０００８】
本発明によれば、受信部のダイナミックレンジを従来よりも小さくすることが可能である。
【発明を実施するための最良の形態】
【０００９】
以下に、本発明の一実施形態にかかるエレベータ監視映像用無線伝送システムについて図面を参照しながら説明する。本実施形態に係るエレベータ監視映像無線伝送システムは、エレベータシャフト内に複数（本実施形態では２個）の受信アンテナが設けられている。そして、複数の受信アンテナが受信した電波のうち、最も強度が強い電波を、監視室に設けられた監視親機がダイバシティ受信するようにしている。図１は、本実施形態に係るエレベータ監視映像用無線伝送システムの全体構成を示した図である。
【００１０】
当該エレベータ監視映像用無線伝送システムは、エレベータ籠１、監視端末１０、アンテナ１１−１および２、アンテナ２０−１および２、監視親機２１ならびに表示装置２２を備える。
【００１１】
エレベータ籠１は、人や物を載せてエレベータシャフト内を昇降し、その内部に監視端末１０を含んでいる。監視端末１０は、エレベータ籠１内の様子を撮影して、映像データを生成する。アンテナ１１−１は、エレベータ籠１の上部に設置され、監視端末１０が生成した映像データをエレベータシャフトの上方へ送信する。アンテナ１１−２は、エレベータ籠１の下部に設置され、監視端末１０が生成した映像データをエレベータシャフトの下方へ送信する。ここで、図２を用いて、当該監視端末１０の詳細について説明する。図２は、監視端末１０の内部構成の一例を示したブロック図である。
【００１２】
監視端末１０は、監視カメラ１００、映像圧縮符号化器１０１、イーサＩ／Ｆ１０２、ＭＡＣ（Ｍｏｖｉｎｇ  Ｐｉｃｔｕｒｅ  Ｅｘｐｅｒｔｓ  Ｇｒｏｕｐ）処理器１０３、ＰＨＹ（Ｐｈｙｓｉｃａｌ）処理器１０４およびＲＦ送信器１０５を含む。監視カメラ１００は、エレベータ籠１内の映像を取得する。映像圧縮符号化器１０１は、監視カメラ１００が取得した映像を、例えばＭＰＥＧ２方式にエンコードする。イーサＩ／Ｆ１０２は、映像圧縮符号化器１０１がエンコードした映像信号をイーサネット（Ｒ）フレームに変換する。ＭＡＣ処理器１０３は、レイヤ２プロトコルにより、映像信号に送信処理を施して、ベースバンド信号を生成する。ＰＨＹ処理器１０４は、ベースバンド信号を無線変調する。ＲＦ送信器１０５は、無線変調されたベースバンド信号を無線信号に変換し、アンテナ１１−１および２の両方に出力する。すなわち、アンテナ１１−１および２の両方からは、同じ無線信号の電波が出力される。
【００１３】
ここで、図１の説明に戻る。アンテナ２０−１は、エレベータシャフトの最上部に設けられ、アンテナ１１−１から送信されてきた電波を受信する。アンテナ２０−２は、エレベータシャフトの最下部に設けられ、アンテナ１１−２から送信されてきた電波を受信する。監視親機２１は、アンテナ２０−１および２のそれぞれと接続されており、２つのアンテナ２０−１および２から送信されてくる無線信号の内、強度の強い無線信号の映像を、表示装置２２に表示させる。以下に、図３および４を用いて、監視親機２１の詳細について説明する。図３は、監視親機２１の構成を示したブロック図である。
【００１４】
監視親機２１は、ＲＦ受信器２１０、ＰＨＹ処理器２１１、ＭＡＣ処理器２１２、イーサＩ／Ｆ２１３および映像圧縮復号化器２１４を含む。ＲＦ受信器２１０は、アンテナ２０−１および２から出力されてくる無線信号を無線変調されたベースバンド信号に変換する。さらに、ＲＦ受信器２１０は、無線変調されたベースバンド信号の内、強度の強い方の映像信号をＰＨＹ処理器２１１に対して出力する。以下に、当該ＲＦ受信器２１０の詳細について、図面を参照しながら説明する。図４は、ＲＦ受信器２１０の構成を示したブロック図である。
【００１５】
ＲＦ受信器２１０は、第１の受信器３００、第２の受信器３０２、受信レベル比較器３０２および選択器３０２を備える。第１の受信器３００は、アンテナ２０−１が受信した無線信号を、無線変調されたベースバンド信号に変換する。第２の受信器３０１は、アンテナ２０−２が受信した無線信号を、無線変調されたベースバンド信号に変換する。受信レベル比較器３０３は、第１の受信器３００に入力してくる無線信号と、第２の受信器３０１に入力してくる無線信号とを比較して、いずれの無線信号の強度が強いのかを示す比較信号を選択器３０３に対して出力する。選択器３０３は、比較信号に基づいて、第１の受信器３００から出力されてくるベースバンド信号と、第２の受信信号３０１から出力されてくるベースバンド信号とを切り替えて出力する。具体的には、選択器３０１は、入力してくる２つのベースバンド信号の内、選択信号により強度が強いと判定された受信器から出力されてきたベースバンド信号を出力する。
【００１６】
ここで、図３の説明に戻る。ＰＨＹ処理器２１１は、ＲＦ受信器２１０から出力されてくる無線変調されたベースバンド信号を、無線復調する。ＭＡＣ処理器２１２は、ベースバンド信号を、レイヤ２プロトコルにより所定の受信処理を施して、映像信号に変換する。イーサＩ／Ｆ２１３は、受信処理が施された映像信号を、イーサネット（Ｒ）フレームに変換する。映像圧縮複合化器２１４は、イーサネット（Ｒ）フレームに変換された映像信号をＭＰＥＧ２方式に基づいてデコードし、映像信号を表示装置２２に出力する。表示装置２２は、映像信号に基づいて、エレベータ籠１内の様子を表示する。
【００１７】
以上のように構成されたエレベータ監視映像用無線伝送システムについて、以下にその動作について説明する。ここでは、本システムの動作の一例として、エレベータ籠１がエレベータシャフト内を下から上へと移動する場合について説明する。なお、本実施形態で示す各処理は、コンピュータを用いてソフトウェア的に実現するか、あるいはそれら各処理を行う専用のハードウェア回路を用いて実現することができる。
【００１８】
まず、エレベータ籠１は、エレベータシャフトの最下部から上方に向かって、移動を開始する。この際、エレベータ籠１内の監視端末１０は、当該エレベータ籠１内の映像の無線信号を生成して、アンテナ１１−１および２から電波として出力する。なお、当該監視端末１０の内部で行われる処理は、前述した通りであるので、ここでは詳細な説明を省略する。応じて、アンテナ２０−１は、アンテナ１１−１から出力された電波を受信する。また、アンテナ２０−２は、アンテナ１１−２から出力された電波を受信する。
【００１９】
監視親機２１には、アンテナ２０−１および２が受信した無線信号が入力してくる。そして、当該監視親機２１は、２つの無線信号の内、強度の強い方の無線信号を映像信号に変換して、表示装置２２に対して出力する。ここで、エレベータ籠１は、エレベータシャフトの最下部から上方に向かって進行中である。そのため、最初の内は、アンテナ２０−２から出力されてくる無線信号の方が強度が大きい。そこで、監視親機２１は、アンテナ２０−２から出力されてくる無線信号を映像信号に変換して、表示装置に対して出力する。なお、当該監視親機２１の内部で行われる処理は、前述した通りであるので、ここでは詳細な説明を省略する。応じて、表示装置２２には、エレベータ籠１内の映像が表示される。
【００２０】
ここで、エレベータ籠１が上昇して、エレベータシャフトの中央近傍に到達した場合には、監視親機２１に入力してくる２つの無線信号の強度が近づく。そして、アンテナ２０−１から出力されてくる無線信号の強度の方が、アンテナ２０−２から出力されてくる無線信号の強度よりも大きくなった場合には、監視親機２１は、映像信号に変換する無線信号を、ＲＦ受信器２１０において切り替える。具体的には、監視親機２１は、映像信号に変換する無線信号を、アンテナ２０−２から出力されてくる無線信号から、アンテナ２０−１から出力されてくる無線信号へと切り替える。応じて、表示装置２２には、エレベータ籠１内の様子が表示される。
【００２１】
この後、エレベータ籠１は、エレベータシャフトの最上部に向かって上昇していく。この間、アンテナ２０−１から出力される無線信号の強度は、次第に大きくなっていき、一方、アンテナ２０−２から出力される無線信号の強度は、次第に小さくなっていく。そのため、エレベータシャフトの中央部をエレベータ籠１が通過した後は、監視親機２１は、アンテナ２０−１から出力されてくる無線信号を映像信号に変換して、表示装置２２に出力しつづける。
【００２２】
以上のように、本実施形態に係るエレベータ監視映像用無線伝送システムによれば、エレベータシャフトの略上半分では、エレベータシャフトの上部に設けられたアンテナの無線信号を用い、エレベータシャフトの略下半分では、エレベータシャフトの下部に設けられたアンテナの無線信号を用いるようにしている。そのため、従来のエレベータ監視映像用無線伝送システムと比較して、監視親機のダイナミックレンジを半分程度に抑制することが可能となる。
【００２３】
なお、本実施形態では、エレベータシャフトの最上部と最下部との２箇所にアンテナが設置されているが、アンテナが設置される数および場所はこれに限らない。すなわち、アンテナは、エレベータシャフト内に３個以上設置されてもよい。エレベータシャフト内に設置されるアンテナの数を増やすと、監視親機のダイナミックレンジをより抑制することが可能となる。
【００２４】
なお、イーサＩ／Ｆ１０２とＭＡＣ処理器１０３とＰＨＹ処理器１０４とＲＦ送信器１０５とは、例えば、ＩＥＥＥ８０２．１１ｘ（ｘは、ｂ、ｇまたはａのいずれか）準拠の無線ＬＡＮステーションで代用することが可能である。また、ＲＦ受信器２１０と第２のＰＨＹ処理器２１１と第２のＭＡＣ処理器２１２とイーサＩ／Ｆ２１３とは、例えば、ＩＥＥＥ８０２．１１ｘ準拠の無線ＬＡＮアクセスポイントで代用することが可能である。
【００２５】
なお、本実施形態では、エレベータ籠１の上下にアンテナ１１−１および２が設置されるものとしているが、当該エレベータ籠１に設置されるアンテナの数はこれに限らない。
【産業上の利用可能性】
【００２６】
本発明に係るエレベータ監視映像用無線伝送システムは、受信部のダイナミックレンジを従来よりも小さくすることができる効果を有し、エレベータ籠内の監視映像の信号を、当該エレベータ籠の外に設けられた監視モニターに伝送するシステム等として有用である。
【図面の簡単な説明】
【００２７】
【図１】本発明に係るエレベータ監視映像用無線伝送システムの構成を示した図
【図２】監視端末の構成を示したブロック図
【図３】監視親機の構成を示したブロック図
【図４】ＲＦ受信器の構成を示したブロック図
【図５】従来のエレベータ用無線通信システムの構成を示した図
【符号の説明】
【００２８】
１  エレベータ籠
１０  監視端末
１１、２０  アンテナ
２１  監視親機
２２  表示装置
１００  監視カメラ
１０１  映像圧縮符号化器
１０２、２１３  イーサＩ／Ｆ
１０３、２１２  ＭＡＣ処理器
１０４、２１１  ＰＨＹ処理器
１０５  ＲＦ送信器
２１０  ＲＦ受信器
２１４  映像圧縮複合化器
３００  第１の受信器
３０１  第２の受信器
３０３  選択器
【図１】
2005101983.tif 000003
【図２】
2005101983.tif 000004
【図３】
2005101983.tif 000005
【図４】
2005101983.tif 000006
【図５】
2005101983.tif 000007